【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
ビデオ電話のための方法であって、
受信デバイスにおいて、ビデオ電話呼に関連付けられたビデオデータパケットが送信元デバイスから到着するのを停止したことを検出することと、
前記受信デバイスにおいて、前記送信元デバイスが、ビデオ制御パケットに含まれる情報に基づいて、前記ビデオ電話呼のビデオ部分を中断したと決定することと、ここにおいて、前記送信元デバイスが前記ビデオ電話呼のビデオ部分を中断したかどうかを決定するために使用される前記ビデオ制御パケットにおける前記情報は、パケットカウントまたは総データ量のうちの１つ以上を含み、前記受信デバイスにおいて、前記送信元デバイスが、前記ビデオ電話呼の前記ビデオ部分を中断したと決定することは、前記ビデオが中断されたかを決定するために２つの連続するビデオ制御パケットにおける前記パケットカウントまたは前記総データ量のうちの１つ以上を比較することを備え、前記ビデオが中断されたという決定は、前記パケットカウントまたは前記総データ量のうちの１つ以上が前記２つの連続するビデオ制御パケットに対して同じである場合に行われる、
を備える、方法。
【請求項２】
前記ビデオ制御パケットは、前記ビデオデータパケットが到着するのを停止した後に、前記受信デバイスにおいて受信され続ける、請求項１に記載の方法。
【請求項３】
前記ビデオデータパケットは、リアルタイムトランスポートプロトコル（ＲＴＰ）パケットであり、前記ビデオ制御パケットは、ＲＴＰ制御プロトコル（ＲＴＣＰ）パケットである、請求項１に記載の方法。
【請求項４】
前記パケットカウントは、前記ＲＴＣＰパケットの送信側報告（ＳＲ）における送信側のパケットカウントであり、前記総データ量は、前記ＲＴＣＰパケットの前記ＳＲにおける送信側のオクテットカウントである、請求項３に記載の方法。
【請求項５】
ビデオ電話のための方法であって、
受信デバイスにおいて、ビデオ電話呼に関連付けられたビデオデータパケットが送信元デバイスから到着するのを停止したことを検出することと、
ビデオ制御パケットが受信された後にタイマをスタートすることと、
どのビデオデータパケットも前記タイマの前記スタートからのしきい値の時間内で受信されなかった場合に前記送信元デバイスが前記ビデオ電話呼の前記ビデオ部分を中断したと決定することと、
を備える、方法。
【請求項６】
前記しきい値の時間は、２つの連続するビデオ制御パケット間の時間より小さい、請求項５に記載の方法。
【請求項７】
ビデオ電話のために構成された装置であって、
受信デバイスにおいて、ビデオ電話呼に関連付けられたビデオデータパケットが送信元デバイスから到着するのを停止したことを検出するための手段と、
前記受信デバイスにおいて、前記送信元デバイスが、ビデオ制御パケットに含まれる情報に基づいて、前記ビデオ電話呼のビデオ部分を中断したと決定するための手段と、ここにおいて、前記送信元デバイスが前記ビデオ電話呼のビデオ部分を中断したかどうかを決定するために使用される前記ビデオ制御パケットにおける前記情報は、パケットカウントまたは総データ量のうちの１つ以上を含み、前記受信デバイスにおいて、前記送信元デバイスが、前記ビデオ電話呼の前記ビデオ部分を中断したと決定するための前記手段は、前記ビデオが中断されたかを決定するために２つの連続するビデオ制御パケットにおける前記パケットカウントまたは前記総データ量のうちの１つ以上を比較するための手段を備え、前記ビデオが中断されたという決定は、前記パケットカウントまたは前記総データ量のうちの１つ以上が前記２つの連続するビデオ制御パケットに対して同じである場合に行われる、
を備える、装置。
【請求項８】
前記ビデオ制御パケットは、前記ビデオデータパケットが到着するのを停止した後に、前記受信デバイスにおいて受信され続ける、請求項７に記載の装置。
【請求項９】
前記ビデオデータパケットは、リアルタイムトランスポートプロトコル（ＲＴＰ）パケットであり、前記ビデオ制御パケットは、ＲＴＰ制御プロトコル（ＲＴＣＰ）パケットである、請求項７に記載の装置。
【請求項１０】
前記パケットカウントは、前記ＲＴＣＰパケットの送信側報告（ＳＲ）における送信側のパケットカウントであり、前記総データ量は、前記ＲＴＣＰパケットの前記ＳＲにおける送信側のオクテットカウントである、請求項９に記載の装置。
【請求項１１】
ビデオ電話のために構成された装置であって、
受信デバイスにおいて、ビデオ電話呼に関連付けられたビデオデータパケットが送信元デバイスから到着するのを停止したことを検出するための手段と、
ビデオ制御パケットが受信された後にタイマをスタートするための手段と、
どのビデオデータパケットも前記タイマの前記スタートからのしきい値の時間内で受信されなかった場合に前記送信元デバイスが前記ビデオ電話呼の前記ビデオ部分を中断したと決定するための手段と、
を備える、装置。
【請求項１２】
前記しきい値の時間は、２つの連続するビデオ制御パケット間の時間より小さい、請求項１１に記載の装置。
【請求項１３】
ビデオ電話のために構成された装置であって、
受信デバイスにおいて、ビデオ電話呼に関連付けられたビデオデータパケットが送信元デバイスから到着するのを停止したことを検出し、
前記送信元デバイスが、ビデオ制御パケットに含まれる情報に基づいて、前記ビデオ電話呼のビデオ部分を中断したと決定し、ここにおいて、前記送信元デバイスが前記ビデオ電話呼のビデオ部分を中断したかどうかを決定するために使用される前記ビデオ制御パケットにおける前記情報は、パケットカウントまたは総データ量のうちの１つ以上を含み、前記受信デバイスにおいて、前記送信元デバイスが、前記ビデオ電話呼の前記ビデオ部分を中断したと決定することは、前記ビデオが中断されたかを決定するために２つの連続するビデオ制御パケットにおける前記パケットカウントまたは前記総データ量のうちの１つ以上を比較することを備え、前記ビデオが中断されたという決定は、前記パケットカウントまたは前記総データ量のうちの１つ以上が前記２つの連続するビデオ制御パケットに対して同じである場合に行われる、ように構成された前記受信デバイス、
を備える、装置。
【請求項１４】
前記ビデオ制御パケットは、前記ビデオデータパケットが到着するのを停止した後に、前記受信デバイスにおいて受信され続ける、請求項１３に記載の装置。
【請求項１５】
前記ビデオデータパケットは、リアルタイムトランスポートプロトコル（ＲＴＰ）パケットであり、前記ビデオ制御パケットは、ＲＴＰ制御プロトコル（ＲＴＣＰ）パケットである、請求項１３に記載の装置。
【請求項１６】
前記パケットカウントは、前記ＲＴＣＰパケットの送信側報告（ＳＲ）における送信側のパケットカウントであり、前記総データ量は、前記ＲＴＣＰパケットの前記ＳＲにおける送信側のオクテットカウントである、請求項１５に記載の装置。
【請求項１７】
ビデオ電話のために構成された装置であって、
受信デバイスにおいて、ビデオ電話呼に関連付けられたビデオデータパケットが送信元デバイスから到着するのを停止したことを検出し、
ビデオ制御パケットが受信された後にタイマをスタートし、
どのビデオデータパケットも前記タイマの前記スタートからのしきい値の時間内で受信されなかった場合に前記送信元デバイスが前記ビデオ電話呼の前記ビデオ部分を中断したと決定する、ように構成される、前記受信デバイス、
を備える、装置。
【請求項１８】
前記しきい値の時間は、２つの連続するビデオ制御パケット間の時間より小さい、請求項１７に記載の装置。
【請求項１９】
命令を記憶する非一時的なコンピュータ可読記憶媒体であって、前記命令は実行されるとき、ビデオ電話のためのデバイスの１つ以上のプロセッサに、
受信デバイスにおいて、ビデオ電話呼に関連付けられたビデオデータパケットが送信元デバイスから到着するのを停止したことを検出し、
前記受信デバイスにおいて、前記送信元デバイスが、ビデオ制御パケットに含まれる情報に基づいて、前記ビデオ電話呼のビデオ部分を中断したと決定することと、ここにおいて、前記送信元デバイスが前記ビデオ電話呼のビデオ部分を中断したかどうかを決定するために使用される前記ビデオ制御パケットにおける前記情報は、パケットカウントまたは総データ量のうちの１つ以上を含み、前記受信デバイスにおいて、前記送信元デバイスが、前記ビデオ電話呼の前記ビデオ部分を中断したと決定することは、前記ビデオが中断されたかを決定するために２つの連続するビデオ制御パケットにおける前記パケットカウントまたは前記総データ量のうちの１つ以上を比較することを備え、前記ビデオが中断されたという決定は、前記パケットカウントまたは前記総データ量のうちの１つ以上が前記２つの連続するビデオ制御パケットに対して同じである場合に行われる、
を行わせる、非一時的なコンピュータ可読記憶媒体。
【請求項２０】
前記ビデオ制御パケットは、前記ビデオデータパケットが到着するのを停止した後に、前記受信デバイスにおいて受信され続ける、請求項１９に記載のコンピュータ可読記憶媒体。
【請求項２１】
前記ビデオデータパケットは、リアルタイムトランスポートプロトコル（ＲＴＰ）パケットであり、前記ビデオ制御パケットは、ＲＴＰ制御プロトコル（ＲＴＣＰ）パケットである、請求項１９に記載のコンピュータ可読記憶媒体。
【請求項２２】
前記パケットカウントは、前記ＲＴＣＰパケットの送信側報告（ＳＲ）における送信側のパケットカウントであり、前記総データ量は、前記ＲＴＣＰパケットの前記ＳＲにおける送信側のオクテットカウントである、請求項２１に記載のコンピュータ可読記憶媒体。
【手続補正２】
【補正対象書類名】明細書
【補正対象項目名】００６０
【補正方法】変更
【補正の内容】
【００６０】
[0065]様々な例が説明されてきた。これらの例および他の例は、次の請求項の範囲内にある。
以下に、本願出願の当初の特許請求の範囲に記載された発明を付記する。
［Ｃ１］
ビデオ電話のための方法であって、
受信デバイスにおいて、ビデオ電話呼に関連付けられたビデオデータパケットが送信元デバイスから到着するのを停止したことを検出することと、
前記受信デバイスにおいて、前記送信元デバイスが、ビデオ制御パケットに含まれる情報に基づいて、前記ビデオ電話呼のビデオ部分を中断したと決定することと、
を備える、方法。
［Ｃ２］
前記ビデオ制御パケットは、前記ビデオデータパケットが到着するのを停止した後に、前記受信デバイスにおいて受信され続ける、Ｃ１に記載の方法。
［Ｃ３］
前記ビデオデータパケットは、リアルタイムトランスポートプロトコル（ＲＴＰ）パケットであり、前記ビデオ制御パケットは、ＲＴＰ制御プロトコル（ＲＴＣＰ）パケットである、Ｃ１に記載の方法。
［Ｃ４］
前記送信元デバイスが前記ビデオ電話呼のビデオ部分を中断したかどうかを決定するために使用される前記ＲＴＣＰパケットにおける前記情報は、パケットカウントおよび総データ量のうちの１つ以上である、Ｃ３に記載の方法。
［Ｃ５］
前記パケットカウントは、前記ＲＴＣＰパケットの送信側報告（ＳＲ）における送信側のパケットカウントであり、前記総データ量は、前記ＲＴＣＰパケットの前記ＳＲにおける送信側のオクテットカウントである、Ｃ４に記載の方法。
［Ｃ６］
前記受信デバイスにおいて、前記送信元デバイスが、前記ビデオ電話呼の前記ビデオ部分を中断したと決定することは、
前記ビデオが中断されたかを決定するために２つの連続するＲＴＣＰパケットにおける前記パケットカウントおよび前記総データ量のうちの１つ以上を比較することを備え、前記ビデオが中断されたという決定は、前記パケットカウントおよび前記総データ量のうちの１つ以上が前記２つの連続するＲＴＣＰパケットに対して同じである場合に行われる、Ｃ４に記載の方法。
［Ｃ７］
前記受信デバイスにおいて、前記送信元デバイスは、前記ビデオ電話呼の前記ビデオ部分を中断したと決定することは、
ビデオ制御パケットが受信された後にタイマをスタートすることと、
どのビデオデータパケットも前記タイマの前記スタートからのしきい値の時間内で受信されなかった場合に前記送信元デバイスが前記ビデオ電話呼の前記ビデオ部分を中断したと決定することと、
を備える、Ｃ１に記載の方法。
［Ｃ８］
前記しきい値の時間は、２つの連続するビデオ制御パケット間の時間より小さい、Ｃ７に記載の方法。
［Ｃ９］
ビデオ電話のために構成された装置であって、
受信デバイスにおいて、ビデオ電話呼に関連付けられたビデオデータパケットが送信元デバイスから到着するのを停止したことを検出するための手段と、
前記受信デバイスにおいて、前記送信元デバイスが、ビデオ制御パケットに含まれる情報に基づいて、前記ビデオ電話呼のビデオ部分を中断したと決定するための手段と、
を備える、装置。
［Ｃ１０］
前記ビデオ制御パケットは、前記ビデオデータパケットが到着するのを停止した後に、前記受信デバイスにおいて受信され続ける、Ｃ９に記載の装置。
［Ｃ１１］
前記ビデオデータパケットは、リアルタイムトランスポートプロトコル（ＲＴＰ）パケットであり、前記ビデオ制御パケットは、ＲＴＰ制御プロトコル（ＲＴＣＰ）パケットである、Ｃ９に記載の装置。
［Ｃ１２］
前記送信元デバイスが前記ビデオ電話呼のビデオ部分を中断したかどうかを決定するために使用される前記ＲＴＣＰパケットにおける前記情報は、パケットカウントおよび総データ量のうちの１つ以上である、Ｃ１１に記載の装置。
［Ｃ１３］
前記パケットカウントは、前記ＲＴＣＰパケットの送信側報告（ＳＲ）における送信側のパケットカウントであり、前記総データ量は、前記ＲＴＣＰパケットの前記ＳＲにおける送信側のオクテットカウントである、Ｃ１２に記載の装置。
［Ｃ１４］
前記受信デバイスにおいて、前記送信元デバイスが、前記ビデオ電話呼の前記ビデオ部分を中断したと決定するための手段は、
前記ビデオが中断されたかを決定するために２つの連続するＲＴＣＰパケットにおける前記パケットカウントおよび前記総データ量のうちの１つ以上を比較するための手段を備え、前記ビデオが中断されたという決定は、前記パケットカウントおよび前記総データ量のうちの１つ以上が前記２つの連続するＲＴＣＰパケットに対して同じである場合に行われる、Ｃ１２の記載の装置。
［Ｃ１５］
前記受信デバイスにおいて、前記送信元デバイスが、前記ビデオ電話呼の前記ビデオ部分を中断したと決定するための手段は、
ビデオ制御パケットが受信された後にタイマをスタートするための手段と、
どのビデオデータパケットも前記タイマの前記スタートからのしきい値の時間内で受信されなかった場合に前記送信元デバイスが前記ビデオ電話呼の前記ビデオ部分を中断したと決定するための手段と、
を備える、Ｃ９に記載の装置。
［Ｃ１６］
前記しきい値の時間は、２つの連続するビデオ制御パケット間の時間より小さい、Ｃ１５に記載の装置。
［Ｃ１７］
ビデオ電話のために構成された装置であって、
受信デバイスにおいて、ビデオ電話呼に関連付けられたビデオデータパケットが送信元デバイスから到着するのを停止したことを検出し、
前記送信元デバイスが、ビデオ制御パケットに含まれる情報に基づいて、前記ビデオ電話呼のビデオ部分を中断したと決定する、ように構成された前記受信デバイス、
を備える、装置。
［Ｃ１８］
前記ビデオ制御パケットは、前記ビデオデータパケットが到着するのを停止した後に、前記受信デバイスにおいて受信され続ける、Ｃ１７に記載の装置。
［Ｃ１９］
前記ビデオデータパケットは、リアルタイムトランスポートプロトコル（ＲＴＰ）パケットであり、前記ビデオ制御パケットは、ＲＴＰ制御プロトコル（ＲＴＣＰ）パケットである、Ｃ１７に記載の装置。
［Ｃ２０］
前記送信元デバイスが前記ビデオ電話呼のビデオ部分を中断したかどうかを決定するために使用される前記ＲＴＣＰパケットにおける前記情報は、パケットカウントおよび総データ量のうちの１つ以上である、Ｃ１９に記載の装置。
［Ｃ２１］
前記パケットカウントは、前記ＲＴＣＰパケットの送信側報告（ＳＲ）における送信側のパケットカウントであり、前記総データ量は、前記ＲＴＣＰパケットの前記ＳＲにおける送信側のオクテットカウントである、Ｃ２０に記載の装置。
［Ｃ２２］
前記受信デバイスは、
前記ビデオが中断されたかを決定するために２つの連続するＲＴＣＰパケットにおける前記パケットカウントおよび前記総データ量のうちの１つ以上を比較するようにさらに構成され、前記ビデオが中断されたという決定は、前記パケットカウントおよび前記総データ量のうちの１つ以上が前記２つの連続するＲＴＣＰパケットに対して同じである場合に行われる、Ｃ２０に記載の装置。
［Ｃ２３］
前記受信デバイスは、
ビデオ制御パケットが受信された後にタイマをスタートし、
どのビデオデータパケットが、前記タイマの前記スタートからのしきい値の時間内で受信されなかった場合に前記送信元デバイスが前記ビデオ電話呼の前記ビデオ部分を中断したと決定する、
ようにさらに構成される、Ｃ１７に記載の装置。
［Ｃ２４］
前記しきい値の時間は、２つの連続するビデオ制御パケット間の時間より小さい、Ｃ２３に記載の装置。
［Ｃ２５］
命令を記憶するコンピュータ可読記憶媒体であって、前記命令は実行されるとき、ビデオ電話のためのデバイスの１つ以上のプロセッサに、
受信デバイスにおいて、ビデオ電話呼に関連付けられたビデオデータパケットが送信元デバイスから到着するのを停止したことを検出し、
前記受信デバイスにおいて、前記送信元デバイスが、ビデオ制御パケットに含まれる情報に基づいて、前記ビデオ電話呼のビデオ部分を中断したと決定することと、
を行わせる、コンピュータ可読記憶媒体。
［Ｃ２６］
前記ビデオ制御パケットは、前記ビデオデータパケットが到着するのを停止した後に、前記受信デバイスにおいて受信され続ける、Ｃ２５に記載のコンピュータ可読記憶媒体。
［Ｃ２７］
前記ビデオデータパケットは、リアルタイムトランスポートプロトコル（ＲＴＰ）パケットであり、前記ビデオ制御パケットは、ＲＴＰ制御プロトコル（ＲＴＣＰ）パケットである、Ｃ２５に記載のコンピュータ可読記憶媒体。
［Ｃ２８］
前記送信元デバイスが前記ビデオ電話呼のビデオ部分を中断したかどうかを決定するために使用される前記ＲＴＣＰパケットにおける前記情報は、パケットカウントおよび総データ量のうちの１つ以上である、Ｃ２７に記載のコンピュータ可読記憶媒体。
［Ｃ２９］
前記パケットカウントは、前記ＲＴＣＰパケットの送信側報告（ＳＲ）における送信側のパケットカウントであり、前記総データ量は、前記ＲＴＣＰパケットの前記ＳＲにおける送信側のオクテットカウントである、Ｃ２８に記載のコンピュータ可読記憶媒体。
［Ｃ３０］
前記命令は、前記１つ以上のプロセッサに、
前記ビデオが中断されたかを決定するために２つの連続するＲＴＣＰパケットにおける前記パケットカウントおよび前記総データ量のうちの１つ以上を比較することをさらに行わせ、前記ビデオが中断されたという決定は、前記パケットカウントおよび前記総データ量のうちの１つ以上が前記２つの連続するＲＴＣＰパケットに対して同じである場合に行われる、Ｃ２８に記載のコンピュータ可読記憶媒体。